(57)【要約】【課題】外部電源の異常発生により異常が報知されなくなることを防ぐことが可能な携帯端末を得る。【解決手段】外部電源１２からの過電流により溶断することにより外部電源１２の供給を断って携帯端末２０の電源回路５を保護するヒューズ８を設ける。外部電源１２の異常発生によりヒューズ８が溶断すると、二次電池を主電源として電源回路５からの電源供給を受けて異常報知制御部６の制御により表示部１、発光部２及び音響部３がユーザに異常報知を行う。【選択図】　　　図１
2004146960.tif 000002
【特許請求の範囲】
【請求項１】
二次電池と、外部電源の供給時はこの外部電源を主電源とし、前記外部電源の供給断時は前記二次電池を主電源として自端末内各部に電源供給する電源回路とを有する携帯端末であって、
ユーザに異常報知を行うための異常報知手段と、
前記外部電源からの過電流により溶断することにより前記外部電源の供給を断って前記電源回路を保護するヒューズと、
前記ヒューズの溶断に応答して、前記異常報知手段に異常報知を行なわせしめる異常報知制御手段とを含むことを特徴とする携帯端末。
【請求項２】
前記異常報知制御手段は、前記異常報知手段による異常報知中に前記外部電源と自端末との接続が解除されると、前記異常報知手段の表示部による異常報知のみを行なわせしめることを特徴とする請求項１記載の携帯端末。
【請求項３】
前記異常報知手段による異常報知中は、前記異常報知手段及び前記異常報知制御手段にのみ前記二次電池を主電源とする前記電源回路から電源供給されるようにしたことを特徴とする請求項１又は２記載の携帯端末。
【請求項４】
二次電池と、外部電源の供給時はこの外部電源を主電源とし、前記外部電源の供給断時は前記二次電池を主電源として自端末内各部に電源供給する電源回路とを有する携帯端末であって、
ユーザに異常報知を行うための異常報知手段と、
前記外部電源からの過電流により溶断することにより前記外部電源の供給を断って前記電源回路を保護するヒューズと、
自端末に対するユーザ操作に応答して、このユーザ操作に対応する処理が行なわれる前に前記ヒューズの状態を確認し、前記ヒューズが溶断しているならば前記異常報知手段に異常報知を行なわせしめる異常報知制御手段とを含むことを特徴とする携帯端末。
【請求項５】
外部から視認可能に設けられ、前記ヒューズが溶断する際に発生する熱により異常を表示する感熱紙を含むことを特徴とする請求項１〜４いずれか記載の携帯端末。
【請求項６】
二次電池と、外部電源の供給時はこの外部電源を主電源とし、前記外部電源の供給断時は前記二次電池を主電源として自端末内各部に電源供給する電源回路とを有する携帯端末の異常報知方法であって、
前記外部電源からの過電流により溶断することにより前記外部電源の供給を断って前記電源回路を保護するために設けられたヒューズの溶断に応答して、ユーザに異常報知を行うための異常報知手段に異常報知を行なわせしめる異常報知制御ステップを含むことを特徴とする異常報知方法。
【請求項７】
前記異常報知制御ステップは、前記異常報知手段による異常報知中に前記外部電源と自端末との接続が解除されると、前記異常報知手段の表示部による異常報知のみを行なわせしめることを特徴とする請求項６記載の異常報知方法。
【請求項８】
前記異常報知手段による異常報知中は、前記二次電池を主電源とする前記電源回路からこの異常報知に不要な部分への電源供給が断とされるようにしたことを特徴とする請求項６又は７記載の異常報知方法。
【請求項９】
二次電池と、外部電源の供給時はこの外部電源を主電源とし、前記外部電源の供給断時は前記二次電池を主電源として自端末内各部に電源供給する電源回路とを有する携帯端末の異常報知方法であって、
自端末に対するユーザ操作に応答して、このユーザ操作に対応する処理が行なわれる前に、前記外部電源からの過電流により溶断することにより前記外部電源の供給を断って前記電源回路を保護するために設けられたヒューズの状態を確認し、前記ヒューズが溶断しているならばユーザに異常報知を行うための異常報知手段に異常報知を行なわせしめる異常報知制御ステップを含むことを特徴とする異常報知方法。
【請求項１０】
外部から視認可能に設けられた感熱紙に、前記ヒューズが溶断する際に発生する熱により異常を表示させることを特徴とする請求項６〜９いずれか記載の異常報知方法。
【請求項１１】
二次電池と、外部電源の供給時はこの外部電源を主電源とし、前記外部電源の供給断時は前記二次電池を主電源として自端末内各部に電源供給する電源回路とを有する携帯端末の異常報知方法をコンピュータに実行させるためのプログラムであって、
前記外部電源からの過電流により溶断することにより前記外部電源の供給を断って前記電源回路を保護するために設けられたヒューズの溶断に応答して、ユーザに異常報知を行うための異常報知手段に異常報知を行なわせしめる異常報知制御ステップを含むことを特徴とするプログラム。
【請求項１２】
前記異常報知制御ステップは、前記異常報知手段による異常報知中に前記外部電源と自端末との接続が解除されると、前記異常報知手段の表示部による異常報知のみを行なわせしめることを特徴とする請求項１１記載のプログラム。
【請求項１３】
前記異常報知手段による異常報知中は、前記二次電池を主電源とする前記電源回路からこの異常報知に不要な部分への電源供給が断とされるようにしたことを特徴とする請求項１１又は１２記載のプログラム。
【請求項１４】
二次電池と、外部電源の供給時はこの外部電源を主電源とし、前記外部電源の供給断時は前記二次電池を主電源として自端末内各部に電源供給する電源回路とを有する携帯端末の異常報知方法をコンピュータに実行させるためのプログラムであって、
自端末に対するユーザ操作に応答して、このユーザ操作に対応する処理が行なわれる前に、前記外部電源からの過電流により溶断することにより前記外部電源の供給を断って前記電源回路を保護するために設けられたヒューズの状態を確認し、前記ヒューズが溶断しているならばユーザに異常報知を行うための異常報知手段に異常報知を行なわせしめる異常報知制御ステップを含むことを特徴とするプログラム。
【発明の詳細な説明】
【０００１】
【発明の属する技術分野】
本発明は携帯端末及びその異常報知方法並びにプログラムに関し、特に二次電池を有する携帯端末及びその異常報知方法並びにプログラムに関する。
【０００２】
【従来の技術】
従来の電子装置の異常報知方法として、電源回路の一次側を電流保護を行なう電流ヒューズよりも商用電源側に接続することにより、電流ヒューズが溶断してもヒューズ溶断検知手段に直流電源が供給されるようにして、これにより、ヒューズ溶断検知手段が電流ヒューズの溶断を検知して異常表示手段が異常表示を行なうという方法がある（例えば、特許文献１参照。）。
【０００３】
【特許文献１】
特開平９−２１３４７０号公報（第３頁、第１図）
【０００４】
【発明が解決しようとする課題】
しかしながら、上記の異常報知方法では、商用電源から異常電流が流れた場合、ヒューズ溶断検知手段等に電源供給する電源回路が故障し、このような場合には異常表示を行なうことができないという問題がある。
【０００５】
本発明の目的は、外部電源の異常発生により異常が報知されなくなることを防ぐことが可能な携帯端末及びその異常報知方法並びにプログラムを提供することにある。
【０００６】
【課題を解決するための手段】
本発明による携帯端末は、二次電池と、外部電源の供給時はこの外部電源を主電源とし、前記外部電源の供給断時は前記二次電池を主電源として自端末内各部に電源供給する電源回路とを有する携帯端末であって、ユーザに異常報知を行うための異常報知手段と、前記外部電源からの過電流により溶断することにより前記外部電源の供給を断って前記電源回路を保護するヒューズと、前記ヒューズの溶断に応答して、前記異常報知手段に異常報知を行なわせしめる異常報知制御手段とを含むことを特徴とする。
【０００７】
前記携帯端末において、前記異常報知制御手段は、前記異常報知手段による異常報知中に前記外部電源と自端末との接続が解除されると、前記異常報知手段の表示部による異常報知のみを行なわせしめることを特徴とする。
【０００８】
また、前記携帯端末において、前記異常報知手段による異常報知中は、前記異常報知手段及び前記異常報知制御手段にのみ前記二次電池を主電源とする前記電源回路から電源供給されるようにしたことを特徴とする。
【０００９】
本発明による別の携帯端末は、二次電池と、外部電源の供給時はこの外部電源を主電源とし、前記外部電源の供給断時は前記二次電池を主電源として自端末内各部に電源供給する電源回路とを有する携帯端末であって、ユーザに異常報知を行うための異常報知手段と、前記外部電源からの過電流により溶断することにより前記外部電源の供給を断って前記電源回路を保護するヒューズと、自端末に対するユーザ操作に応答して、このユーザ操作に対応する処理が行なわれる前に前記ヒューズの状態を確認し、前記ヒューズが溶断しているならば前記異常報知手段に異常報知を行なわせしめる異常報知制御手段とを含むことを特徴とする。
【００１０】
前記携帯端末において、外部から視認可能に設けられ、前記ヒューズが溶断する際に発生する熱により異常を表示する感熱紙を含むことを特徴とする。
【００１１】
本発明による異常報知方法は、二次電池と、外部電源の供給時はこの外部電源を主電源とし、前記外部電源の供給断時は前記二次電池を主電源として自端末内各部に電源供給する電源回路とを有する携帯端末の異常報知方法であって、前記外部電源からの過電流により溶断することにより前記外部電源の供給を断って前記電源回路を保護するために設けられたヒューズの溶断に応答して、ユーザに異常報知を行うための異常報知手段に異常報知を行なわせしめる異常報知制御ステップを含むことを特徴とする。
【００１２】
前記異常報知方法において、前記異常報知制御ステップは、前記異常報知手段による異常報知中に前記外部電源と自端末との接続が解除されると、前記異常報知手段の表示部による異常報知のみを行なわせしめることを特徴とする。
【００１３】
また、前記異常報知方法において、前記異常報知手段による異常報知中は、前記二次電池を主電源とする前記電源回路からこの異常報知に不要な部分への電源供給が断とされるようにしたことを特徴とする。
【００１４】
本発明による別の異常報知方法は、二次電池と、外部電源の供給時はこの外部電源を主電源とし、前記外部電源の供給断時は前記二次電池を主電源として自端末内各部に電源供給する電源回路とを有する携帯端末の異常報知方法であって、自端末に対するユーザ操作に応答して、このユーザ操作に対応する処理が行なわれる前に、前記外部電源からの過電流により溶断することにより前記外部電源の供給を断って前記電源回路を保護するために設けられたヒューズの状態を確認し、前記ヒューズが溶断しているならばユーザに異常報知を行うための異常報知手段に異常報知を行なわせしめる異常報知制御ステップを含むことを特徴とする。
【００１５】
前記異常報知方法において、外部から視認可能に設けられた感熱紙に、前記ヒューズが溶断する際に発生する熱により異常を表示させることを特徴とする。
【００１６】
本発明によるプログラムは、二次電池と、外部電源の供給時はこの外部電源を主電源とし、前記外部電源の供給断時は前記二次電池を主電源として自端末内各部に電源供給する電源回路とを有する携帯端末の異常報知方法をコンピュータに実行させるためのプログラムであって、前記外部電源からの過電流により溶断することにより前記外部電源の供給を断って前記電源回路を保護するために設けられたヒューズの溶断に応答して、ユーザに異常報知を行うための異常報知手段に異常報知を行なわせしめる異常報知制御ステップを含むことを特徴とする。
【００１７】
本発明による別のプログラムは、二次電池と、外部電源の供給時はこの外部電源を主電源とし、前記外部電源の供給断時は前記二次電池を主電源として自端末内各部に電源供給する電源回路とを有する携帯端末の異常報知方法をコンピュータに実行させるためのプログラムであって、自端末に対するユーザ操作に応答して、このユーザ操作に対応する処理が行なわれる前に、前記外部電源からの過電流により溶断することにより前記外部電源の供給を断って前記電源回路を保護するために設けられたヒューズの状態を確認し、前記ヒューズが溶断しているならばユーザに異常報知を行うための異常報知手段に異常報知を行なわせしめる異常報知制御ステップを含むことを特徴とする。
【００１８】
本発明の作用は次の通りである。外部電源からの過電流により溶断することにより外部電源の供給を断って端末の電源回路を保護するヒューズを設けておき、外部電源の異常発生によりヒューズが溶断すると、二次電池を主電源としてユーザに異常報知を行うようにしている。
【００１９】
また、自端末に対してユーザ操作がなされると、このユーザ操作に対応する処理を実行する前にヒューズが溶断しているか否か確認するようにし、ヒューズが溶断している場合には二次電池を主電源としてユーザに異常報知を行うようにしている。
【００２０】
【発明の実施の形態】
以下に、本発明の実施例について図面を参照して説明する。図１は本発明の第１の実施例による携帯端末の構成を示す図である。図１において、本発明の第１の実施例による携帯電話機等の携帯端末２０は、異常メッセージを表示させるための表示部１と、表示部１のバックライトやＬＥＤ（Ｌｉｇｈｔ　Ｅｍｉｔｔｉｎｇ　Ｄｉｏｄｅ）素子を使用し、光で異常を報知するための発光部２と、スピーカやレシーバ、ブザーを使用し、音で異常を報知するための音響部３と、充放電可能な二次電池４と、携帯端末２０内各部に電源を供給する電源ＩＣ５と、異常報知制御部６と、溶断検出回路７と、電源ＩＣ５の過電流保護に使用されるヒューズ８と、接続検出回路９と、接続コネクタ１０とを有する。
【００２１】
ヒューズ８は、外部電源である商用電源１２から過電流が流れると溶断し、電源ＩＣ５に過電流が流れ続けることを防いで電源ＩＣ５の故障を防止する。溶断検出回路７はヒューズ８の溶断を検出する。異常報知制御部６は、溶断検出回路７がヒューズ８の溶断を検出した場合に携帯端末２０の動作を制御する。コネクタ１０には、外部電源である商用電源１２と携帯端末２０とを接続するためのＡＣアダプタ１１が接続可能である。接続検出回路９は、コネクタ１０とＡＣアダプタ１１との接続を検出する。
【００２２】
電源ＩＣ５は、アダプタ１１がコネクタ１０に接続されて外部電源が供給されている場合には、これを主電源として、表示部１、発光部２、音響部３、異常報知制御部６、溶断検出回路７及び接続検出回路９並びに図示せぬ各部（例えば携帯端末２０が携帯電話機である場合には通話機能を実現する各回路等）に電源供給すると共に、二次電池４を充電する。一方、電源ＩＣ５は、外部電源が供給されていない場合には、二次電池４を主電源として、携帯端末２０内の上述した各部に電源供給する。
【００２３】
なお、図８は図１に示す携帯端末２０、後述する図４に示す携帯端末３０の外観例を示す斜視図であり、図１及び図４と同等部分は同一符号にて示している。外部電源として商用電源１２の代わりに車載電源を用いてもよく、この場合はＡＣアダプタ１１の代わりにＤＣアダプタがコネクタ１０に接続される。
【００２４】
次に、本発明の第１の実施例による携帯端末の動作について図面を用いて説明する。図２は図１に示す携帯端末２０の異常報知動作の一例を示すフローチャートである。
【００２５】
図１及び図２において、接続検出回路９は、コネクタ１０にＡＣアダプタ１１（ＤＣアダプタ）が接続されているか否か検出しており（ステップＡ１）、アダプタ１１の接続を検出すると（ステップＡ１，ＹＥＳ）、次に溶断検出回路７がヒューズ８の溶断状態を検出する（ステップＡ２）。ここで、溶断がない場合（ステップＡ２，ＮＯ）、異常報知制御部１３は停止状態で（ステップＡ８）携帯端末２０は通常動作になる。
【００２６】
しかし、外部電源から突発電流や異常電流が流れ、ヒューズ８が溶断した場合（ステップＡ２，ＹＥＳ）、異常報知制御部６は、溶断検出回路７からの溶断検出通知を受けて動作開始し（ステップＡ３）、二次電池４に充電された容量を使用して異常状態の報知を開始する。
【００２７】
まず、異常報知制御部６は、表示部１に異常状態を知らせるメッセージを表示させ、この表示を固定する（ステップＡ４）。また、異常報知制御部６は、発光部２に点滅動作を行なわせると共に（ステップＡ５）、音響部３に警告音を発生させる（ステップＡ６）。このように、ユーザに対して異常報知が行われる。
【００２８】
さらに、異常報知制御部６は、電源ＩＣ５からの電源供給を表示部１、発光部２、音響部３、異常報知制御部６及び溶断検出回路７のみとし、この異常報知動作に不要な他の回路（例えば携帯端末２０が携帯電話機である場合には通話機能を実現する各回路等）への電源供給を停止させ（ステップＡ７）、二次電池４の電池容量がなくなるまで異常状態の報知を繰り返す。
【００２９】
なお、ヒューズ８が修理されることにより、溶断検出回路７がヒューズ８の溶断を検出しなくなると（ステップＡ２，ＮＯ）、異常報知制御部１３は動作を停止するので（ステップＡ８）、上述した異常報知は終了することになる。
【００３０】
このように、外部電源の異常発生により電源回路が故障することを防ぐためにヒューズを設け、このヒューズの溶断の際には二次電池の電池容量を使用して異常状態の報知が可能であるため、外部電源の異常発生により異常が報知されないという問題を解消することができる。
【００３１】
また、ヒューズが溶断した状態では常に異常報知が繰り返されるため、ユーザが故障した状態を知らずに端末を使い続けるということを防止することができる。
【００３２】
図３は図１に示す携帯端末２０の異常報知動作の別の例を示すフローチャートである。
【００３３】
図１及び図３において、接続検出回路９がアダプタ１１の接続を検出すると（ステップＢ１，ＹＥＳ）、溶断検出回路７はヒューズ８の溶断状態を検出する（ステップＢ２）。ここで、溶断がない場合（ステップＢ２，ＮＯ）、異常報知制御部１３は停止状態で（ステップＢ１０）携帯端末２０は通常動作になる。
【００３４】
しかし、ヒューズ８が溶断した場合（ステップＢ２，ＹＥＳ）、異常報知制御部６は、溶断検出回路７からの溶断検出通知を受けて動作開始し（ステップＢ３）、二次電池４に充電された容量を使用して異常状態の報知を開始する。
【００３５】
まず、異常報知制御部６は、表示部１に異常状態を知らせるメッセージを表示させ、この表示を固定する（ステップＢ４）。また、異常報知制御部６は、発光部２に点滅動作を行なわせると共に（ステップＢ５）、音響部３に警告音を発生させる（ステップＢ６）。このように、図２のステップＡ４〜ステップＡ６と同様にユーザに対して異常報知が行われる。
【００３６】
さらに、異常報知制御部６は、電源ＩＣ５からの電源供給を表示部１、発光部２、音響部３、異常報知制御部６、溶断検出回路７及び接続検出回路９のみとし、この異常報知動作に不要な他の回路（例えば携帯端末２０が携帯電話機である場合には通話機能を実現する各回路等）への電源供給を停止させる（ステップＢ７）。
【００３７】
そして、異常報知制御部６は、接続検出回路９を用いてアダプタ１１が接続されているか否か確認する（ステップＢ８）。アダプタ１１が接続されており（ステップＢ８，ＮＯ）、ヒューズ８が溶断したままであれば（ステップＢ２，ＹＥＳ）、上述の異常報知が継続される。
【００３８】
ここで、アダプタ１１の接続が解除されれば（ステップＢ８，ＹＥＳ）、異常報知制御部６は、発光部２の点滅動作及び音響部３からの警告音を停止させ、表示部１による異常報知のみを継続させる（ステップＢ９）。これにより、図２に示した動作と比べ、消費電力の低減が図られる。
【００３９】
次に、本発明の第２の実施例について図面を用いて説明する。図４は本発明の第２の実施例による携帯端末の構成を示す図であり、図１と同等部分は同一符号にて示している。図４において、本発明の第２の実施例による携帯電話機等の携帯端末３０は、表示部１と、発光部２と、音響部３と、二次電池４と、電源ＩＣ５と、異常報知制御部６と、溶断検出回路７と、ヒューズ８と、接続コネクタ１０と、任意のスイッチ１８とを有する。
【００４０】
任意のスイッチ１８は、例えば、携帯端末３０の図示せぬ操作部の各操作ボタン（操作キー）等である。通常、携帯端末において、その操作部を用いてユーザ操作がなされると、このユーザ操作に応答して当該操作に対応する処理が実行されることになる。本実施例では、ユーザにより任意のスイッチ１８がオンまたはオフされると、すなわちユーザ操作がなされると、このユーザ操作に対応する処理の前に異常報知処理を割り込ませるようにしている。
【００４１】
図５は図４に示す携帯端末３０の異常報知動作を示すフローチャートである。以下、携帯端末３０の異常報知動作について図４及び図５を用いて説明する。
【００４２】
図４及び図５において、携帯端末３０に対してユーザ操作がなされると（ステップＣ１）、溶断検出回路７はヒューズ８の溶断状態を検出する（ステップＣ２）。ここで、ヒューズ８が溶断していないことが確認されたならば（ステップＣ２，ＮＯ）、当該ユーザ操作に対応する処理が実行される（ステップＣ７）。
【００４３】
一方、溶断検出回路７がヒューズ８の溶断を検出したならば（ステップＣ２，ＹＥＳ）、異常報知制御部６を動作させ（ステップＣ３）、二次電池４に充電された容量を使用して異常状態の報知を開始する。
【００４４】
異常報知制御部６は、表示部１にユーザに異常状態を知らせるメッセージを表示させ　（ステップＣ４）、発光部２に点滅動作を行なわせると共に（ステップＣ５）、音響部３に警告音を発生させる（ステップＣ６）。このようにして、ユーザに異常報知を行った後、ステップＣ１におけるユーザ操作に対応する処理が実行される（ステップＣ７）。なお、異常報知を行いながらユーザ操作に対応する処理が実行されるようにしてもよい。
【００４５】
このように、ユーザ操作に応答して、このユーザ操作に対応する処理の前に異常報知処理を割り込ませるようにしているので、異常報知が忘れられることを防止することができる。
【００４６】
なお、上記図２、図３及び図５に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００４７】
次に、本発明の第３の実施例について図面を用いて説明する。本発明の第３の実施例は、本発明の第１及び第２の実施例による携帯端末２０及び３０に、さらに別の異常報知方法を提供する構成を付加したものである。
【００４８】
図６は携帯端末２０，３０を示す断面図であり、図１及び図４と同等部分は同一符号にて示している。図６において、１５は携帯端末２０，３０の筐体であり、１４はヒューズ８が実装されるプリント基板であり、１６は感熱紙である。
【００４９】
図６に示したように、感熱紙１６をヒューズ８実装付近に外部から視認可能に設ける。これにより、感熱紙１６は、外部電源からの過電流によりヒューズ８が溶断する際に発生する熱で、発色して異常を表示する。このように、ヒューズ８溶断の異常報知を外部から視認可能に設けられた感熱紙１６により行なうようにしているので、二次電池４の容量がない状態でも異常報知が可能となる。
【００５０】
なお、図６では、感熱紙１６を外部から確認できるよう筐体１５に設けているが、筐体１５内に設けるようにしてもよい。この例が図７に示されており、図６と同等部分は同一符号にて示している。図７では、感熱紙１６を筐体１５内のヒューズ８付近に設けた結果、外部から確認できるよう筐体１５に感熱紙１６の確認穴１７を設けている。これによっても、図６と同様に異常報知が可能となる。
【００５１】
【発明の効果】
本発明による効果は、外部電源の異常発生により異常が報知されなくなることを防ぐことができることである。その理由は、外部電源からの過電流により溶断することにより外部電源の供給を断って端末の電源回路を保護するヒューズを設けておき、外部電源の異常発生によりヒューズが溶断すると、二次電池を主電源としてユーザに異常報知を行うようにしているためである。
【図面の簡単な説明】
【図１】本発明の第１の実施例による携帯端末の構成を示す図である。
【図２】図１の携帯端末の異常報知動作の一例を示すフローチャートである。
【図３】図１の携帯端末の異常報知動作の別の例を示すフローチャートである。
【図４】本発明の第２の実施例による携帯端末の構成を示す図である。
【図５】図４の携帯端末の異常報知動作を示すフローチャートである。
【図６】本発明の第３の実施例による携帯端末の断面図である。
【図７】本発明の第３の実施例による別の携帯端末の断面図である。
【図８】図１及び４の携帯端末の外観例を示す斜視図である。
【符号の説明】
１　　表示部
２　　発光部
３　　音響部
４　　二次電池
５　　電源ＩＣ
６　　異常報知制御部
７　　溶断検出回路
８　　ヒューズ
９　　接続検出回路
１０　　接続コネクタ
１１　　ＡＣアダプタ
１２　　商用電源
１４　　プリント基板
１５　　筐体
１６　　感熱紙
１７　　確認穴
１８　　任意のスイッチ
２０，３０　携帯端末
【図１】
2004146960.tif 000003
【図２】
2004146960.tif 000004
【図３】
2004146960.tif 000005
【図４】
2004146960.tif 000006
【図５】
2004146960.tif 000007
【図６】
2004146960.tif 000008
【図７】
2004146960.tif 000009
【図８】
2004146960.tif 000010